(57)【要約】センサコネクタに装着されたセンサの後部に係合する係合部（１２）と、この係合部（１２）をセンサ挿入口（３）側に移動させる操作体（１１）を設ける。加えて、一端が操作体（１１）に係合し、他端が本体ケース（１）に設けた貫通孔（９）を介して本体ケース（１）外に引き出された操作桿（１４）と、この操作桿（１４）の他端側に連結された操作部（１５）を設ける。さらに、貫通孔（９）の周りの本体ケース（１）外側に設けた環状壁（１０）と、この環状壁（１０）に被せられた金属製摺動受け（１６）とを備え、操作部（１５）の金属製摺動受け（１６）側に、金属製摺動受け（１６）に対して摺動させる樹脂製摺動部材（１７）を設ける。
2013105508.tif 000002
【特許請求の範囲】
【請求項１】
センサ挿入口を有する本体ケースと、この本体ケース内の前記センサ挿入口後方部分に設けられたセンサコネクタと、このセンサコネクタに装着されたセンサを前記センサ挿入口外に排出するセンサ排出機構とを備え、
前記センサ排出機構は、前記センサコネクタに装着されたセンサの後部に係合する係合部と、この係合部を前記センサ挿入口側に移動させる操作体と、一端が前記操作体に係合し、他端が前記本体ケースに設けた貫通孔を介して本体ケース外に引き出された操作桿と、この操作桿の他端側に連結された操作部と、前記貫通孔の周りの本体ケース外側に設けた環状壁と、この環状壁に被せられた金属製摺動受けとを備え、
前記操作部の金属製摺動受け側に樹脂製摺動部材を設けると共に、この樹脂製摺動部材を前記金属製摺動受けに対して摺動させる構成とした生体情報測定装置。
【請求項２】
前記操作部と前記樹脂製摺動部材を別部材で構成し、前記樹脂製摺動部材を前記操作部に一体的に取り付けた請求項１に記載の生体情報測定装置。
【請求項３】
前記樹脂製摺動部材の前記金属製摺動受け側の面における前記操作部の操作方向に直交する両側部分に前記金属製摺動受け側に突出する突出部を形成した請求項１または２のいずれか一項に記載の生体情報測定装置。
【請求項４】
前記樹脂製摺動部材の両側部分の前記突出部は、前記金属製摺動受けの開口部外方において、前記金属製摺動受けに当接する構成とした請求項３に記載の生体情報測定装置。
【請求項５】
前記本体ケースの貫通孔は、前記本体ケースに設けた操作部収納用凹部内に形成した請求項１または２のいずれか一項に記載の生体情報測定装置。
【請求項６】
前記貫通孔は、前記操作部の操作方向に長くした請求項１または２のいずれか一項に記載の生体情報測定装置。
【請求項７】
前記貫通孔の前記センサ挿入口側は、半円形とした請求項６に記載の生体情報測定装置。
【発明の詳細な説明】
【技術分野】
【０００１】
本発明は、たとえば、血液から血糖値などの生体情報を測定する生体情報測定装置に関するものである。
【背景技術】
【０００２】
生体情報測定装置は、センサ挿入口を有する本体ケースと、このセンサ挿入口に装着されたセンサをセンサ挿入口外に排出するセンサ排出機構を設けている。【０００３】
そして、生体情報を測定した後に、センサ排出機構によりセンサをセンサ挿入口から排出し、このセンサを廃棄するようになっている（例えば、特許文献１参照）。【０００４】
この従来例においては、生体情報を測定した後に、センサ排出機構によりセンサをセンサ挿入口から排出し、このセンサを廃棄するようになっているので、作業性が良い。【０００５】
つまり、センサ廃棄時においては、センサ挿入口から指でセンサを引き抜く必要がなく、センサ排出機構を操作すれば、センサ挿入口からのセンサの排出およびセンサの廃棄が行える。【０００６】
このようなセンサ排出機構は、本体ケース内に設けたセンサコネクタに装着した、センサの後部に係合する係合部と、この係合部をセンサ挿入口側に移動させる操作体とを備える。さらに、一端が操作体に係合するとともに、他端が本体ケースに設けた貫通孔を介して本体ケース外に引き出された操作桿と、この操作桿の本体ケース外に引き出された他端側に連結された操作部とを備える。【０００７】
以上の構成において、センサを排出する場合には、使用者が操作部をセンサ挿入口側に操作する。この時、使用者が触れない操作部の裏面側は本体ケースの表面に対して摺動する。このため、センサ排出を繰り返すと、操作部の裏面側または操作部の裏面に接する本体ケースの表面側が摩耗し、その結果としてセンサ排出動作がスムーズに行われなくなり、操作性の悪いものとなる。
【先行技術文献】
【特許文献】
【０００８】
【特許文献１】特表２００９−５３２７０６号公報
【発明の概要】
【０００９】
本発明の生体情報測定装置は、センサ挿入口を有する本体ケースと、この本体ケース内のセンサ挿入口後方部分に設けられたセンサコネクタと、このセンサコネクタに装着された、センサをセンサ挿入口外に排出するセンサ排出機構を備える。センサ排出機構は、センサコネクタに装着した、センサの後部に係合する係合部と、この係合部をセンサ挿入口側に移動させる操作体と、一端が操作体に係合するとともに、他端が本体ケースに設けた貫通孔を介して本体ケース外に引き出された操作桿を備える。さらにセンサ排出機構は、この操作桿の本体ケース外に引き出された他端側に連結された操作部と、本体ケース外側の貫通孔の周りに設けた環状壁と、この環状壁に被せられた金属製摺動受けを備える。操作部の金属製摺動受け側に樹脂製摺動部材を設けると共に、この樹脂製摺動部材を金属製摺動受けに対して摺動させる構成とする。
【００１０】
センサ排出時に操作部を操作すると、操作部に一体となった樹脂製摺動部材が金属製摺動受け上を摺動する。樹脂からなる樹脂製摺動部材と金属からなる金属製摺動受けの摺動状態となるので極めて摺動性が高く、これにより樹脂製摺動部材の摩耗はほとんど発生せず、その結果として、センサ排出に対する操作性を高い状態で維持できる。
【００１１】
また、本発明は、金属製摺動受けを設けるために本体ケースの貫通孔の周りに環状壁を設けているので、たとえば本体ケースの清浄時に用いた水やアルコールなどの液体が、貫通孔から本体ケース内に浸入するのを抑制する効果が期待できる。
【図面の簡単な説明】
【００１２】
【図１】図１は、本発明の第１の実施の形態における生体情報測定装置の平面図である。
【図２】図２は、本発明の第１の実施の形態における生体情報測定装置の要部分解斜視図である。
【図３】図３は、図１の３−３断面図である。
【図４】図４は、図１の４−４断面図である。
【図５】図５は、図４のＡ部拡大断面図である。
【図６Ａ】図６Ａは、本発明の第１の実施の形態における生体情報測定装置の樹脂製摺動部材の斜視図である。
【図６Ｂ】図６Ｂは、本発明の第１の実施の形態における生体情報測定装置の樹脂製摺動部材の斜視図である。
【発明を実施するための形態】
【００１３】
以下、本発明の第１の実施の形態における生体情報測定装置について、図面を用いて説明する。
【００１４】
（第１の実施の形態）
図１に示すように、本体ケース１の一端側にはセンサ２を挿入するためのセンサ挿入口３を設けている。また、この本体ケース１の表面の一端側には、センサ挿入口３に挿入されたセンサ２をセンサ挿入口３の外に排出するためのセンサ排出機構４を構成する操作部１５が配置されている。
【００１５】
さらに、本体ケース１の表面の他端側には、測定結果などを表示する表示部５が設けられている。そして、この表示部５とセンサ排出機構４の間には、電源の入り切りやデータの保存や確認などを行う一般的な操作スイッチ６が配置されている。
【００１６】
なお、本実施の形態において、センサ２は血糖値を測定するセンサであって、一端側には血液の点着部７が配置され、他端側には電極部８が配置されている。
【００１７】
次に、センサ排出機構４について図２〜図６を用いて説明する。
【００１８】
まず、本体ケース１のセンサ排出機構４を設ける部分においては、図２に示すように、本体ケース１に貫通孔９が形成され、この貫通孔９の周りの本体ケース１の表面には、本体ケース１の外側に突出する環状壁１０が設けられている。また、貫通孔９に対向する本体ケース１内には、操作体１１が配置されている。操作体１１は図２の状態からセンサ挿入口３に近づくまで摺動自在に配置されている。
【００１９】
さらに、この操作体１１のセンサ挿入口３側には、図３に示すように、センサ挿入口３に挿入されたセンサ２（図１参照）の後端部に係合する係合部１２が設けられている。
【００２０】
図１の状態で、センサ２の電極部８をセンサ挿入口３から本体ケース１内に挿入すると、電極部８が本体ケース１内のセンサコネクタ１３と接触することで電気的に接続される。この状態で点着部７に血液を点着すれば血糖値の測定が行われ、その血糖値は表示部５に表示される。
【００２１】
この状態において、センサ２（図１参照）の後端部には、図２、図３に示す係合部１２が係合しているので、センサ排出機構４を操作すればセンサ２の電極部８とセンサコネクタ１３との電気的接続を解除するとともに、センサ２をセンサ挿入口３外へと排出し、そのまま廃棄することができる。
【００２２】
このようなセンサ２の排出を行うセンサ排出機構４は、図２〜図５に示すように、センサコネクタ１３に装着されたセンサ２の後部に係合する係合部１２と、この係合部１２をセンサ挿入口３側に移動させる操作体１１を有する。加えてセンサ排出機構４は、一端が操作体１１に係合するとともに、他端が本体ケース１に設けた貫通孔９を介して本体ケース１外に引き出された操作桿１４と、この操作桿１４の他端側に連結された操作部１５と、貫通孔９の周りの本体ケース１外側に設けた環状壁１０と、この環状壁１０に被せられた環状の金属製摺動受け１６を備えている。
【００２３】
さらに、センサ排出機構４は、操作部１５の金属製摺動受け１６側に、環状の樹脂製摺動部材１７を設ける。この樹脂製摺動部材１７は、操作部１５の下面側に一体化して設けている。
【００２４】
そして、この樹脂製摺動部材１７を金属製摺動受け１６に対して摺動させる。
【００２５】
樹脂製摺動部材１７は、図６Ａ、図６Ｂに示すように形成されている。図６Ｂに示すように、樹脂製摺動部材１７の金属製摺動受け１６側の面における矢印Ｂで示す操作部１５の操作方向に直交する両側部分を金属製摺動受け１６側に突出させた構成となっている。つまり、図６Ｂに示すように、操作部１５（図示せず）の下面側に一体化して設けている樹脂製摺動部材１７の金属製摺動受け１６側の面には、金属製摺動受け１６側に突出した突出部１８を、矢印Ｂで示す表示部５からセンサ挿入口３に向かう方向である操作部１５の操作方向に直交する両側に配置したものである。
【００２６】
そして、この樹脂製摺動部材１７の両側部分の突出部１８は、図５に示すように、金属製摺動受け１６の開口部１９外方において、この金属製摺動受け１６に当接する。つまり、金属製摺動受け１６上を樹脂製摺動部材１７が摺動する際、突出部１８を金属製摺動受け１６の開口部１９を臨むように形成すると、この開口部１９の開口縁によって樹脂製摺動部材１７が削られてしまう。それを避けるために上述したように、樹脂製摺動部材１７の両側部分の突出部１８は、金属製摺動受け１６の開口部１９外方において、この金属製摺動受け１６に当接する。
【００２７】
なお、本体ケース１の貫通孔９は、図２からも理解されるように、本体ケース１に設けた操作部収納用凹部２０内に設けたものであり、貫通孔９も、操作部収納用凹部２０も、操作部１５の操作方向に長く形成している。
【００２８】
また、貫通孔９には、上述のように、環状壁１０が本体ケース１外に向けて突出形成されているが、この環状壁１０のセンサ挿入口３側は、図２に示すごとく、半円形としている。このため、金属製摺動受け１６、樹脂製摺動部材１７も、センサ挿入口３側は、図２、図６Ａ、図６Ｂに示すように、半円形としている。そして、この樹脂製摺動部材１７のセンサ挿入口３側と金属製摺動受け１６のセンサ挿入口３側との当接により、操作部１５のセンサ挿入口３とは反対側である表示部５側への移動位置の規制を行っている。
【００２９】
つまり、センサ挿入口３側において、樹脂製摺動部材１７の形状と金属製摺動受け１６の形状とを同じ半円形で構成し、金属製摺動受け１６により操作部１５の移動位置の規制を行わせている。
【００３０】
なお、本実施の形態においては、貫通孔９、環状壁１０、金属製摺動受け１６、樹脂製摺動部材１７は、そのセンサ挿入口３側を、上述したように半円形としているが、これらの形状を角形あるいは楕円形で構成しても良い。
【００３１】
また、本実施の形態においては、金属製摺動受け１６を設けるための土台として環状壁１０を設けている。この環状壁１０は、本体ケース１の貫通孔９の外側で、本体ケース１外に突出させて設けている。このため、たとえば本体ケース１の清浄時に用いた水やアルコールなどの液体が、貫通孔９から本体ケース１内に浸入するのを抑制する効果が期待できる。
【００３２】
なお、環状壁１０を環状に設けたため、この環状壁１０に被せられた金属製摺動受け１６も環状となっている。
【００３３】
また、本実施の形態においては、樹脂製摺動部材１７を操作部１５と別体で構成したが、操作部１５を樹脂製摺動部材１７によって一体形成しても良い。
【００３４】
また、樹脂製摺動部材１７は、たとえば摺動性の良い樹脂であるＰＯＭによって形成している。なおＰＯＭとは、化学名であるポリオキシメチレン（ｐｏｌｙｏｘｙｍｅｔｈｙｌｅｎｅ）の略称であるが、このＰＯＭは、一般的にはアセタール樹脂、またはポリアセタール樹脂と呼んでおり、主としてオキシメチレンの構造単位からなる結晶性の熱可塑性樹脂が該当する。
【００３５】
金属製摺動受け１６は、たとえばステンレスによって形成するが、腐食しにくい他の金属で形成しても良いし、表面に金属メッキを形成してもよい。もちろん、樹脂製の環状壁１０の表面に金属メッキを形成した場合もこの金属製摺動受け１６として扱うことができる。
【００３６】
また、本実施の形態において、環状壁１０の高さは、操作部収納用凹部２０よりも低くしており、その上方に金属製摺動受け１６、樹脂製摺動部材１７、操作部１５を設けた状態において、操作部１５が操作部収納用凹部２０の上方にわずかに突出するようにしている。
【産業上の利用可能性】
【００３７】
以上のように本発明のセンサ排出機構は、たとえば、血液から血糖値などの生体情報を測定する生体情報測定装置として、広く活用が期待される。
【符号の説明】
【００３８】
１  本体ケース
２  センサ
３  センサ挿入口
４  センサ排出機構
５  表示部
６  操作スイッチ
７  点着部
８  電極部
９  貫通孔
１０  環状壁
１１  操作体
１２  係合部
１３  センサコネクタ
１４  操作桿
１５  操作部
１６  金属製摺動受け
１７  樹脂製摺動部材
１８  突出部
１９  開口部
２０  操作部収納用凹部
【図１】
2013105508.tif 000003
【図２】
2013105508.tif 000004
【図３】
2013105508.tif 000005
【図４】
2013105508.tif 000006
【図５】
2013105508.tif 000007
【図６Ａ】
2013105508.tif 000008
【図６Ｂ】
2013105508.tif 000009
【国際調査報告】
2013105508.tif 000010
2013105508.tif 000011
2013105508.tif 000012
2013105508.tif 000013